(57)【要約】【課題】所望する量の内容物を安定して塗布すること。【解決手段】内容物が収容されると共にスクイズ変形可能とされた容器本体２と、容器本体の口部１０に装着された中栓３と、を備え、中栓は、容器本体の内部に連通する連通口２２を有し、容器軸Ｏ方向に沿った容器本体の外部側に向けて延びた保持筒２１と、保持筒の内部に回転可能に保持されると共に、一部が保持筒から外部側に突出する回転塗布体３０と、を備え、連通口には、容器本体の内部と保持筒の内部との連通及びその遮断を切り替えると共に、容器本体のスクイズ変形時に連通を許容する弁体５０が設けられている塗布容器１を提供する。【選択図】図２
2014105027.tif 000002
【特許請求の範囲】
【請求項１】
内容物が収容されると共に、スクイズ変形可能とされた容器本体と、
前記容器本体の口部に装着された中栓と、を備え、
前記中栓は、
前記容器本体の内部に連通する連通口を有し、容器軸方向に沿った前記容器本体の外部側に向けて延びた保持筒と、
前記保持筒の内部に回転可能に保持されると共に、一部が前記保持筒から前記外部側に突出する回転塗布体と、を備え、
前記連通口には、
前記容器本体の内部と前記保持筒の内部との連通及びその遮断を切り替えると共に、前記容器本体のスクイズ変形時に連通を許容する弁体が設けられていることを特徴とする塗布容器。
【請求項２】
請求項１に記載の塗布容器において、
前記容器本体の口部に着脱自在に装着され、前記中栓を覆うキャップ体を備え、
前記回転塗布体は、前記キャップ体により容器軸方向に沿った前記容器本体の内部側に押圧されて、前記弁体を前記保持筒の内面に対して押し付け、該弁体の切り替え動作を規制することを特徴とする塗布容器。
【請求項３】
請求項２に記載の塗布容器において、
前記保持筒には、容器軸方向に沿った前記容器本体の内部側に向けて弾性変形可能な環状の薄肉部が設けられていることを特徴とする塗布容器。
【請求項４】
請求項１から３のいずれか１項に記載の塗布容器において、
前記連通口には、前記容器本体の底部に向けて延びる吸い上げパイプが連結されていることを特徴とする塗布容器。
【発明の詳細な説明】
【技術分野】
【０００１】
本発明は、塗布容器に関するものである。
【背景技術】
【０００２】
従来から、例えば下記特許文献１に示されるような塗布容器が知られている。この塗布容器は、内容物が収容される容器本体と、容器本体の口部に固着され、内周面の略中央部に支持シール条を突周設するとともに、上端部が縮径することで保持部とされた保持筒体と、球体の中央部よりやや下部が支持シール条に支持されるとともに、中央部よりやや上部が保持部に抜け出し不能に保持されて、保持筒体内に離脱不能にかつ回転可能に収容された塗布ボールと、容器本体の口部に着脱可能に組み付けられ、口部に組み付けられたときに塗布ボールの上面を押圧し、該塗布ボールの下面を支持シール条に圧着させるキャップと、を備えている。
【先行技術文献】
【特許文献】
【０００３】
【特許文献１】特開２００１−９７４３４号公報
【発明の概要】
【発明が解決しようとする課題】
【０００４】
ところで、上述した従来の塗布容器では、使用時に容器本体を倒立姿勢（塗布ボールが下方を向いた姿勢）にするものであるが、内容物が容器本体内から塗布ボール側に供給され過ぎてしまう等、その液密性について改善の余地があった。
【０００５】
この発明は、このような事情を考慮してなされたもので、その目的は、所望する量の内容物を安定して塗布することができる塗布容器を提供することである。
【課題を解決するための手段】
【０００６】
上記の目的を達成するために、この発明は以下の手段を提供している。
（１）本発明に係る塗布容器は、内容物が収容されると共に、スクイズ変形可能とされた容器本体と、前記容器本体の口部に装着された中栓と、を備え、前記中栓は、前記容器本体の内部に連通する連通口を有し、容器軸方向に沿った前記容器本体の外部側に向けて延びた保持筒と、前記保持筒の内部に回転可能に保持されると共に、一部が前記保持筒から前記外部側に突出する回転塗布体と、を備え、前記連通口には、前記容器本体の内部と前記保持筒の内部との連通及びその遮断を切り替えると共に、前記容器本体のスクイズ変形時に連通を許容する弁体が設けられていることを特徴とする。
【０００７】
本発明に係る塗布容器によれば、容器本体をスクイズ変形させると、容器本体の内圧が上昇するので弁体が開弁して容器本体の内部と保持筒の内部との連通を許容する。これにより、容器本体内の内容物を、連通口を通じて保持筒の内部へと供給でき、該保持筒の内面と回転塗布体の外面との間に画成される中栓空間内に溜め込むことができる。そして、スクイズ変形を解除すると、弁体が閉弁して上記連通を遮断するので、容器本体内からの内容物のそれ以上の供給を停止できるうえ、中栓空間内に溜め込まれた内容物が容器本体内に逆流してしまうことを防止できる。
その後、例えば、容器本体を倒立姿勢にした状態で、保持筒から突出する回転塗布体の一部を被塗布部に押し当てながら、該被塗布部に沿って移動させて回転塗布体を回転させる。これにより、中栓空間内に溜められた内容物を回転塗布体の外面を介して被塗布部に塗布することができる。
【０００８】
特に、連通口に弁体が設けられているので、予め所望する量の内容物を中栓空間内に溜め込んでおくことができ、所望する量の内容物を被塗布部に対して安定して塗布することができる。従って、内容物の過度な塗布を防止することが可能であると共に、例えば、中栓空間内に内容物が充満された状態でスクイズ変形を解除すること等によって、定量塗布を行うことも可能である。
【０００９】
（２）上記本発明に係る塗布容器において、前記容器本体の口部に着脱自在に装着され、前記中栓を覆うキャップ体を備え、前記回転塗布体は、前記キャップ体により容器軸方向に沿った前記容器本体の内部側に押圧されて、前記弁体を前記保持筒の内面に対して押し付け、該弁体の切り替え動作を規制することが好ましい。
【００１０】
この場合には、キャップ体を装着することで、回転塗布体を介して弁体を保持筒の内面に対して押し付けることができ、弁体の切り替え動作を規制することができる。これにより、キャップ体が装着された未使用時において、仮に容器本体をスクイズ変形させたとしても弁体が開弁することを防止することができる。従って、密閉性を高めることができ、連通口を通じた内容物の漏出を抑制することができる。
【００１１】
（３）上記本発明に係る塗布容器において、前記保持筒には、容器軸方向に沿った前記容器本体の内部側に向けて弾性変形可能な環状の薄肉部が設けられていることが好ましい。
【００１２】
この場合には、容器本体の内部側に押圧された回転塗布体によって弁体が押圧されるので、それに伴って環状の薄肉部が容器本体の内部側に弾性変形する。そのため、環状の薄肉部の弾性復元力により、弁体を保持筒の内面に対してより強く圧接させることができ、密閉性をさらに高めて内容物の漏出を抑制することができる。
また、キャップ体を取り外した場合には、回転塗布体への押圧が解除されるので、薄肉部が容器本体の外部側に復元変形する。これにより、保持筒の内面に対する弁体の押し付けが解除されると共に、回転塗布体の外面と保持筒の内面との間に弁体を開弁させるスペースを形成することができる。従って、弁体をより抵抗少なくスムーズに作動させることができ、良好な塗布性能を確保することができる。
【００１３】
（４）上記本発明に係る塗布容器において、前記連通口には、前記容器本体の底部に向けて延びる吸い上げパイプが連結されていることが好ましい。
【００１４】
この場合には、内容物の残量が少なくなった場合であっても、容器本体のスクイズ変形により該内容物を吸い上げパイプで吸い上げて中栓空間内に容易に溜め込むことが可能である。従って、内容物を無駄にすることなく使い切り易い。また、容器本体を正立姿勢にした状態で中栓空間に内容物を溜め込んだ後、倒立姿勢にして、その内容物を塗布するので、所望する量の内容物をより安定して塗布することができる。
【発明の効果】
【００１５】
本発明に係る塗布容器によれば、所望する量の内容物を安定して塗布することができる。
【図面の簡単な説明】
【００１６】
【図１】本発明に係る実施形態を示す図であって、キャップ体の装着時における塗布容器の縦断面図である。
【図２】図１に示す塗布容器の部分拡大図である。
【図３】図２に示す状態からキャップ体を取り外した状態を示す図である。
【図４】図３に示す状態から容器本体をスクイズ変形させて弁体を開弁させた状態を示す図である。
【発明を実施するための形態】
【００１７】
以下、本発明の一実施形態について図面を参照して説明する。
（塗布容器の構成）
図１及び図２に示すように、本実施形態の塗布容器１は、内容物が収容される有底筒状の容器本体２と、該容器本体２の口部１０に装着された中栓３と、容器本体２の口部１０に着脱自在に装着され、中栓３を覆う有頂筒状のキャップ体４と、を備えている。なお、内容物としては特に限定されるものではないが、例えば液体状の内容物が挙げられる。
【００１８】
容器本体２及びキャップ体４の各中心軸線は、共通軸上に位置している。以下、この共通軸を容器軸Ｏといい、容器軸Ｏ方向に沿った容器本体２側を下側といい、キャップ体４側を上側という。また、容器軸Ｏに直交する方向を径方向といい、容器軸Ｏ回りに周回する方向を周方向という。
【００１９】
容器本体２はスクイズ変形（減容変形）可能な容器であり、その口部１０は大径の下口筒１１と小径の上口筒１２とが連設されることで形成されている。下口筒１１及び上口筒１２の外周面には、それぞれ第１雄ねじ部１１ａ及び第２雄ねじ部１２ａが形成されている。なお、下口筒１１に形成された第１雄ねじ部１１ａと、上口筒１２に形成された第２雄ねじ部１２ａとは逆ねじの関係とされている。
【００２０】
上記中栓３は、容器本体２の内部に連通する連通口２２を有し、上方（容器軸Ｏ方向に沿った容器本体２の外部側）に向けて延びた保持筒２１を有する中栓本体２０と、該中栓本体２０における保持筒２１の内部に回転可能に保持されると共に、一部が保持筒２１から上方に突出した塗布ボール（回転塗布体）３０と、を備えている。
【００２１】
中栓本体２０は、容器軸Ｏと同軸に配置されており、上口筒１２内に嵌合されたシール筒２３と、上口筒１２に螺着された装着筒２４と、シール筒２３の上端部及び装着筒２４の上端部とを連結すると共に、上口筒１２の開口端縁上に当接する環状のフランジ部２５と、フランジ部２５の径方向内縁部から上方に向かって延びる突出筒２６と、をさらに備えている。
装着筒２４の内面には、容器本体２の口部１０における上口筒１２に形成された第２雄ねじ部１２ａに螺着可能な雌ねじ部２４ａが形成されている。
【００２２】
上記保持筒２１は、突出筒２６の上縁内側に連結されており、その連結部分から下方（容器軸Ｏ方向に沿った容器本体２の内部側）に位置する下側保持筒２１Ａと、連結部分から上方に位置する上側保持筒２１Ｂと、で構成されている。
【００２３】
下側保持筒２１Ａは、連結部分から下方に向かうに従い漸次、縮径しており、その内面は凹球面状に形成されている。そして、下側保持筒２１Ａの底部に位置する開口部が上記連通口２２とされている。
下側保持筒２１Ａにおける底部の内面には、内周が連通口２２に連通する環状の段部２７が形成されており、該段部２７の上面２７ａは後述する弁体５０の弁本体５２が当接する弁座面とされている。また、下側保持筒２１Ａにおける底部の外面には、連結筒２８が下方に向けて突設されている。この連結筒２８は、容器軸Ｏと同軸に配置されて連通口２２に連通しており、その内径は連通口２２よりも拡径している。
【００２４】
上記連結筒２８には、外気導入弁３５が装着されている。この外気導入弁３５は、連結筒２８に外嵌される筒状の弁本体３５ａと、該弁本体３５ａの外周面から径方向外方に延設された環状の弁体部３５ｂと、を備えている。
弁体部３５ｂの外縁部は、シール筒２３の内周面に離反可能に当接しており、容器本体２内が負圧となった際に下方へ弾性変形することで、突出筒２６の基端部に形成された外気導入孔３６から外気（空気）を容器本体２内に供給することを可能としている。
【００２５】
また、下側保持筒２１Ａには、他の部分よりも薄肉に形成され、下方に向けて弾性変形可能な環状の薄肉部４０が形成されている。この薄肉部４０は、下側保持筒２１Ａにおいて、上記した連結部分と環状の段部２７との間に位置する部分に形成されている。そして、この環状の薄肉部４０には、下側保持筒２１Ａの内面よりも塗布ボール３０側に向けて突出し、下方から塗布ボール３０の外面に対して当接する突起部４１が形成されている。
【００２６】
突起部４１は、塗布ボール３０を下方から支持する受けリブであり、例えば周方向の全周に亘って環状に形成されている。なお、この環状の突起部４１には、該突起部４１を貫通する図示しない溝部が周方向に間隔をあけて形成されており、該溝部を通じて内容物を流通可能とさせている。
なお、この場合に限定されず、例えば突起部４１を周方向に沿って円弧状に形成すると共に、周方向に間隔をあけて間欠的に配置しても良い。この場合であっても、周方向に隣り合う突起部４１同士の間を通じて内容物を流通させることが可能である。
【００２７】
上側保持筒２１Ｂは、連結部分から上方に向かうに従い漸次、縮径しており、その内面は凹球面状に形成されている。つまり、下側保持筒２１Ａ及び上側保持筒２１Ｂで構成される保持筒２１の内面は、塗布ボール３０の外面に倣った球面状とされている。そして、上側保持筒２１Ｂの上部側の開口部は、上方に向けて開放されている。
また、上側保持筒２１Ｂの内面のうち、塗布ボール３０の中心よりも上側に位置する部分には、塗布ボール３０側に突出して該塗布ボール３０の外面に上方から液密に当接する押さえ部４３が形成されている。この押さえ部４３は、例えば周方向の全周に亘って環状に形成されている。
【００２８】
上記塗布ボール３０は、外面が滑らかな球体であり、外径が上側保持筒２１Ｂの上部側の開口部の内径より拡径されており、これにより保持筒２１の内部から上方に離脱不能とされた状態で回転自在に保持されている。
具体的には、塗布ボール３０は、下側保持筒２１Ａの薄肉部４０に形成された突起部４１上に配置された状態で、該突起部４１と上側保持筒２１Ｂに形成された押さえ部４３とによって容器軸Ｏ方向の両側から挟み込まれるように保持されている。この際、塗布ボール３０の中心は容器軸Ｏ上に位置し、塗布ボール３０の一部は上側保持筒２１Ｂから上方に突出している。また、塗布ボール３０と保持筒２１との間には、中栓空間Ｅが画成されている。
【００２９】
なお、環状の押さえ部４３には、該押さえ部４３を貫通する図示しない溝部が周方向に間隔をあけて形成されており、該溝部を通じて上記中栓空間Ｅと保持筒２１の外部とが連通している。
なお、この場合に限定されず、例えば押さえ部４３を周方向に沿って円弧状に形成すると共に、周方向に間隔をあけて間欠的に配置しても良い。この場合であっても、周方向に隣り合う押さえ部４３同士の間を通じて中栓空間Ｅと保持筒２１の外部とを連通させることが可能である。
さらには、押さえ部４３を環状に形成した場合であっても、上記溝部を設けなくても良い。この場合であっても、塗布ボール３０が容器本体２側に押し込まれることで、中栓空間Ｅと保持筒２１の外部とを連通させる連通路（流路）が確保される。
【００３０】
ところで、下側保持筒２１Ａの連通口２２には、容器本体２の内部と保持筒２１の内部との連通及びその遮断を切り替えると共に、容器本体２のスクイズ変形時に上記連通を許容する弁体５０が設けられている。
この弁体５０は、容器本体２のスクイズ変形時に、容器本体２の内部から保持筒２１の内部への内容物の流通を許容し、その逆方向の流通を規制する逆止弁であり、連通口２２内に上方側から挿入された軸状部５１と、該軸状部５１の上端部から径方向外側に向けて環状に突設され、外周縁部が段部２７の上面２７ａに全周に亘って接する弁本体５２と、を備えている。
【００３１】
連通口２２の内面には、径方向内側に向けて突設されると共に軸状部５１の外面に接する縦リブ２２ａが周方向に間隔をあけて複数形成されている。軸状部５１の下端部は、下側保持筒２１Ａの底部を貫通して連結筒２８の内部に達している。そして、この軸状部５１の下端部には、径方向外側に膨らんだ係合爪部５１ａが形成されており、この係合爪部５１ａが上記複数の縦リブ２２ａの下端部に下方側から係合している。
これにより、軸状部５１が上下方向に位置決めされると共に、連通口２２を通じた内容物の流通が可能とされている。
【００３２】
弁本体５２は、弾性変形により外周縁部が段部２７の上面２７ａに当接、離間することで、連通口２２を開放又は閉塞している。これにより、上記したように弁体５０に逆止弁としての機能を持たせている。
【００３３】
また、本実施形態の容器本体２の内部には、吸い上げパイプ５５が収容されている。この吸い上げパイプ５５は、例えば可撓性に富む長尺なパイプであり、上端部が連結筒２８内に差し込まれて嵌合保持されている。また、吸い上げパイプ５５の下端部は容器本体２の底部に向けて延びており、図示の例では底部に達している。
【００３４】
上記キャップ体４は、天壁部６０及び周壁部６１を備える有頂筒状に形成されている。周壁部６１は、大径の下周壁部６２と小径の上周壁部６３とが連設されることで形成されている。下周壁部６２の内面には、容器本体２の口部１０における下口筒１１に形成された第１雄ねじ部１１ａに螺着可能な雌ねじ部６２ａが形成されている。
よって、キャップ体４は、上周壁部６３が上側保持筒２１Ｂに外挿されると共に、下周壁部６２が下口筒１１に螺着されることで、中栓３を上方から覆っている。
【００３５】
天壁部６０は、塗布ボール３０から上方に離間している。この天壁部６０の下面には、下方に向けて突出し、容器軸Ｏと同軸に配置されたリング突条６４が設けられている。このリング突条６４は、キャップ体４の装着時、塗布ボール３０を下方に押圧している。
一方、塗布ボール３０は、上記押圧によって弁体５０を下側保持筒２１Ａに対して押し付け、弁体５０の切り替え動作を規制している。即ち、弁体５０における弁本体５２を下側保持筒２１Ａの段部２７の上面２７ａに対して押し付けて、弁本体５２の弾性変形を規制している。
さらに、キャップ体４によって塗布ボール３０が下方に押圧されることで、突起部４１、又は弁体５０を介して下側保持筒２１Ａの薄肉部４０も下方に付勢（押圧）されるので、下方に弾性変形した状態とされている。
【００３６】
（塗布容器の作用）
次に、上記のように構成された塗布容器１の作用について説明する。
はじめに、図２に示すように、キャップ体４を装着している状態においては、該キャップ体４のリング突条６４が塗布ボール３０を下方に押圧しているので、該塗布ボール３０を介して弁体５０における弁本体５２を段部２７の上面２７ａに対して押し付けている。これにより、弁体５０の切り替え動作を規制することができ、キャップ体４が装着された未使用時において、仮に容器本体２をスクイズ変形させたとしても弁体５０が開弁することを防止できる。
従って、密閉性を確保することができ、連通口２２を通じた内容物の漏出を抑制することができる。
【００３７】
また、キャップ体４によって塗布ボール３０が下方に押圧されることで、下側保持筒２１Ａにおける環状の薄肉部４０が下方に弾性変形する。そのため、弁本体５２と塗布ボール３０の外面とをより強く圧接させてシール性を確保することができる。従って、密閉性をさらに高めることができ、内容物の漏出をさらに抑制することができる。
【００３８】
次に、図３に示すように、内容物を塗布するためにキャップ体４を容器本体２の口部１０から取り外すと、塗布ボール３０への押圧が解除されるので、環状の薄肉部４０が上方に向けて復元変形する。これにより、突起部４１が塗布ボール３０を保持筒２１の内面から上方に持ち上げるので、段部２７の上面２７ａに対する弁本体５２の強い圧接（押し付け）状態が解除されると共に、塗布ボール３０の外面と保持筒２１の内面、即ち段部２７の上面２７ａとの間に弁本体５２が開弁するスペースを形成することができる。
なお、下口筒１１の第１雄ねじ部１１ａと上口筒１２の第２雄ねじ部１２ａとは、逆ねじの関係であるので、キャップ体４の取り外しの際に、中栓本体２０が共回りして緩むことはない。
【００３９】
キャップ体４を取り外した後、容器本体２を正立姿勢（塗布ボール３０を上方に向けた姿勢）の状態でスクイズ変形させると、容器本体２の内圧が上昇するので、図４に示すように、弁体５０における弁本体５２が段部２７の上面２７ａから離間して開弁し、容器本体２の内部と保持筒２１の内部との連通が許容される。これにより、容器本体２内の内容物を、吸い上げパイプ５５で吸い上げた後、連通口２２を通じて保持筒２１の内部へと供給でき、保持筒２１の内面と塗布ボール３０の外面との間に画成される中栓空間Ｅ内に溜め込むことができる。
【００４０】
なお、弁本体５２の開弁によって保持筒２１の内部に流入した内容物は、突起部４１の溝部を通じて該突起部４１を通過しながら上側保持筒２１Ｂの押さえ部４３に向かって流れる。また、この内容物の流入に伴って、中栓空間Ｅ内の空気は外側保持筒２１の押さえ部４３に形成された溝部を通じて中栓本体２０の外部に押し出されて排気される。
これらのことにより、中栓空間Ｅ内に内容物をスムーズに溜め込むことができる。
【００４１】
そして、容器本体２のスクイズ変形を解除すると、図３に示すように、弁体５０における弁本体５２が段部２７の上面２７ａに当接して閉弁し、上記連通を遮断する。これにより、容器本体２内からの内容物のそれ以上の供給を停止できるうえ、中栓空間Ｅ内に溜め込まれた内容物が容器本体２内に逆流してしまうことを防止できる。
なお、容器本体２のスクイズ変形を解除すると、外気導入孔３６を通じて外気がシール筒２３の内部に導入され、さらに下方に弾性変形した外気導入弁３５の弁体部３５ｂとシール筒２３との隙間を通じて容器本体２内に外気が導入されるので、該容器本体２は復元変形し、次のスクイズ変形に備える。
【００４２】
その後、容器本体２を倒立姿勢（塗布ボール３０が下方を向いた姿勢）にした状態で、上側保持筒２１Ｂから突出する塗布ボール３０の一部を図示しない被塗布部に押し当てながら、該被塗布部に沿って移動させ、塗布ボール３０を回転させる。これにより、中栓空間Ｅ内に溜められた内容物を、押さえ部４３の溝部を通じて塗布ボール３０の突出した部分における外面に行き渡らすことができ、該塗布ボール３０の外面を介して被塗布部に塗布することができる。
【００４３】
以上説明したように、本実施形態の塗布容器１によれば、連通口２２に弁体５０が設けられているので、予め所望する量の内容物を中栓空間Ｅ内に溜め込んでおくことができ、所望する量の内容物を被塗布部に対して安定して塗布することができる。従って、内容物の過度な塗布を防止することが可能であると共に、例えば定量塗布を行うことも可能である。
【００４４】
また、吸い上げパイプ５５を具備しているので、容器本体２を正立姿勢にした状態で中栓空間Ｅ内に内容物を溜め込んだ後、倒立姿勢にして、その内容物を塗布するので、所望する量の内容物をより安定して塗布することができる。さらに、吸い上げパイプ５５を具備しているので、内容物の残量が少なくなった場合であっても、容器本体２のスクイズ変形により該内容物を吸い上げパイプ５５で吸い上げて中栓空間Ｅ内に容易に溜め込むことが可能である。従って、内容物を無駄にすることなく使い切り易い。
なお、中栓空間Ｅ内に内容物を溜め込んだ後に塗布を行うため、容器本体２を正立姿勢にした状態や、塗布ボール３０（塗布面）が斜め上方、或いは水平に向いた状態でも塗布操作が可能となっている。
さらに、キャップ体４の装着時に、弁体５０の切り替え動作を規制する等して良好な密閉性を確保できるので、内容物の漏出を抑制することができる。
【００４５】
なお、本発明の技術的範囲は前記実施形態に限定されるものではなく、本発明の趣旨を逸脱しない範囲において種々の変更を加えることが可能である。
【００４６】
例えば、上記実施形態では、キャップ体４と容器本体２の口部１０とを螺着させる構成としたが、この場合に限られず、例えばアンダーカット嵌合によりキャップ体４を口部１０に装着させても構わない。中栓３についても同様で、例えばアンダーカット嵌合により口部１０に装着させても構わない。
【００４７】
また、キャップ体４は必須なものではなく、具備しなくても構わない。但し、未使用時等において、弁体５０による切り替え動作を規制して密閉性を向上することができるので、キャップ体４を具備することが好ましい。なお、キャップ体４を具備する場合、リング突条６４をなくし、天壁部６０で塗布ボール３０を下方に押圧しても構わないし、リング突条６４に代わる何らかの凸部を天壁部６０に形成して塗布ボール３０を押圧しても構わない。
また、吸い上げパイプ５５は必須なものではなく、具備しなくても構わない。この場合、中栓３における連結筒２８を容器本体２の底部に達する程度延ばしても構わない。
【００４８】
また、環状の薄肉部４０や突起部４１についても必須なものではなく、具備しなくても構わない。但し、キャップ体４を取り外した際、塗布ボール３０を上方に持ち上げて弁本体５２を開弁させるスペースを形成できるので、弁本体５２を抵抗少なくスムーズに作動させて、良好な塗布性能を確保することができる。よって、薄肉部４０及び突起部４１を形成することが好ましい。
【００４９】
また、回転塗布体の一例として表面が滑らかな球体である塗布ボール３０を例に挙げて説明したが、この場合に限定されるものではなく、例えば、ゴルフボールのように、表面に複数のディンプルが形成された球状の回転体であっても構わないし、円柱状の回転体等であっても構わない。
【００５０】
その他、本発明の趣旨に逸脱しない範囲で、前記実施形態における構成要素を周知の構成要素に置き換えることは適宜可能である。
【符号の説明】
【００５１】
Ｏ…容器軸
１…塗布容器
２…容器本体
１０…容器本体の口部
２１…保持筒
２２…連通口
３０…塗布ボール（回転塗布体）
４０…薄肉部
５０…弁体
５５…吸い上げパイプ
【図１】
2014105027.tif 000003
【図２】
2014105027.tif 000004
【図３】
2014105027.tif 000005
【図４】
2014105027.tif 000006